(57)【要約】【課題】より安価に、省スペースの構成で用紙を滞留させる手段を有するものであり、滞留させた用紙束に対して、より安定した搬送を実現する用紙搬送装置、用紙搬送ユニット、用紙後処理装置、及び画像形成システムを提供する。【解決手段】画像形成後の用紙を受け入れて用紙処理トレイへ用紙を案内する搬送路Ａを有し、連続的に搬送された用紙を頁順に揃えられるように前記用紙処理トレイ１３へと積み重ね、前記搬送路Ａは用紙を搬送する主経路とは別に複数枚の用紙を滞留させる用紙収納部を兼ねる別経路Ｂを備え、両経路から搬送されてくる用紙を合流させて用紙処理トレイ１３へ排出させる用紙後処理装置における用紙搬送装置において、前記別経路Ｂへ用紙Ｐを搬送しかつ次用紙Ｐａと合流させる動作を行う用紙フィーダ６、７を備え、この用紙フィーダ６、７の搬送力が可変である。【選択図】図１
2008120530.tif 000002
【特許請求の範囲】
【請求項１】
画像形成後の用紙を受け入れて用紙処理トレイへ用紙を案内する搬送路を有し、連続的に搬送された用紙を頁順に揃えられるように前記用紙処理トレイへと積み重ね、前記搬送路は用紙を搬送する主経路とは別に複数枚の用紙を滞留させる用紙収納部を兼ねる別経路を備え、両経路から搬送されてくる用紙を合流させて用紙処理トレイへ排出させる用紙後処理装置における用紙搬送装置において、前記別経路へ用紙を搬送し且つ次用紙と合流させる動作を行う用紙フィーダを備え、この用紙フィーダの搬送力が可変であることを特徴とする用紙搬送装置。
【請求項２】
前記用紙フィーダの搬送力は搬送する用紙の種類に応じて変更可能であることを特徴とする請求項１記載の用紙搬送装置。
【請求項３】
前記用紙フィーダの搬送力は搬送する用紙のサイズに応じて変更可能であることを特徴とする請求項１記載の用紙搬送装置。
【請求項４】
前記用紙フィーダの搬送力は用紙を滞留させる動作の有無に応じて変更可能であることを特徴とする請求項１記載の用紙搬送装置。
【請求項５】
前記用紙フィーダの搬送力は、複数枚数の用紙滞留動作を行う場合には強く設定し、用紙滞留動作を行わない単用紙を搬送する場合には弱く設定することを特徴とする請求項４記載の用紙搬送装置。
【請求項６】
前記用紙フィーダの搬送力は、用紙滞留動作を行う用紙枚数に応じて変更可能であることを特徴とする請求項４記載の用紙搬送装置。
【請求項７】
前記用紙フィーダの搬送力は、スプリングによる加圧力により設定され、前記スプリングの圧縮量によって加圧力を設定し且つ前記搬送力を規制することを特徴とする請求項１記載の用紙搬送装置。
【請求項８】
前記スプリングの圧縮量は、移動可能な軸受とスプリング固定板によって設定されることを特徴とする請求項７記載の用紙搬送装置。
【請求項９】
前記スプリングは、前記用紙フィーダの位置を規制する軸の両端から加圧を負荷することを特徴とする請求項７記載の用紙搬送装置。
【請求項１０】
前記スプリングの加圧は、偏芯形状を有しているカム形状の部材を回転させることによりリンク形状の部材を引き上げ、それにより加圧解除及び加圧力を変動させる構成とすることを特徴とする請求項７記載の用紙搬送装置。
【請求項１１】
前記用紙フィーダの搬送力は、用紙に圧接する用紙フィーダの数を変化させることによって行なわれることを特徴とする請求項１記載の用紙搬送装置。
【請求項１２】
前記用紙フィーダの配置は、搬送する用紙の搬送中心に対して対称に配置し、圧接する用紙フィーダの数を変化させるための、圧接及び解除する用紙フィーダの数は搬送中心に対して対称であることを特徴とする請求項１１記載の用紙搬送装置。
【請求項１３】
請求項１乃至１２のいずれか１項記載の用紙搬送装置を備えることを特徴とする用紙搬送ユニット。
【請求項１４】
請求項１乃至１２のいずれか１項記載の用紙搬送装置及び請求項１３記載の用紙搬送ユニットを備えることを特徴とする用紙後処理装置。
【請求項１５】
画像形成後の用紙を排出する画像形成装置、請求項１乃至１２のいずれか１項記載の用紙搬送装置及び請求項１３記載の用紙搬送ユニットを含んでいることを特徴とする画像形成システム。
【発明の詳細な説明】
【技術分野】
【０００１】
本発明は、複写機、プリンタ、印刷機等の画像形成装置に一体もしくは別体に設けられ、画像形成済みの用紙（記録媒体）に対して所定の処理、例えば仕分け、スタック、綴じ、中綴じ製本を行って排紙する用紙搬送装置、用紙搬送ユニット、用紙後処理装置及びこの用紙後処理装置と画像形成装置とからなる画像形成システムに関するものである。
【背景技術】
【０００２】
フィニッシャ、その他の用紙処理装置では、装置全体の生産性を落とさないようにスティプル動作等の処理に掛かる時間を稼ぐために、用紙を一時的に滞留させた後複数枚の用紙を同時に搬送させて実質的な時間を稼ぐ、いわゆるプレスタック処理を行っている場合があることが広く知られている（例えば、特許文献１及び２参照）。
従来技術では、プレスタック搬送を行う際の、用紙滞留経路を有し、その滞留経路に用紙束を保持する機構を備えており、その用紙を保持する機構が正逆転可能な駆動手段を有していることを特徴としている。
また、公知ではないが、本出願人の先行の研究には、プレスタック搬送を行う際に、用紙滞留経路を有し、用紙を滞留する手段が用紙フィーダにより保持させるものであり、大サイズ（長手サイズ）用紙の滞留手段は２対具備されている滞留手段用の用紙フィーダの１対を退避させてもう１対の用紙フィーダにより滞留動作を行う構成のものがある。
【特許文献１】特開平７−２４１７号公報
【特許文献２】特開２００１−２５０２４７公報
【発明の開示】
【発明が解決しようとする課題】
【０００３】
しかしながら、特許文献１では、用紙を滞留させる搬送路に用紙を保持させる手段を具備する必要があり、装置自体が高価な構成となってしまう。また、特許文献２では、用紙排紙時に用紙１枚を排紙する場合と用紙束を排紙する場合において、ソレノイドにより排紙ローラを離間させるものであり、ローラ間は圧接と離間のオン、オフの制御だけが可能であり、搬送力を変化させることはできない。
そこで、本発明の目的は、上述した実情を考慮して、より安価に、省スペースの構成で用紙を滞留させる手段を有するものであり、滞留させた用紙束に対して、より安定した搬送を実現する用紙搬送装置、用紙搬送ユニット、用紙後処理装置、及び画像形成システムを提供することにある。
【課題を解決するための手段】
【０００４】
上記の課題を解決するために、請求項１に記載の発明は、画像形成後の用紙を受け入れて用紙処理トレイへ用紙を案内する搬送路を有し、連続的に搬送された用紙を頁順に揃えられるように前記用紙処理トレイへと積み重ね、前記搬送路は用紙を搬送する主経路とは別に複数枚の用紙を滞留させる用紙収納部を兼ねる別経路を備え、両経路から搬送されてくる用紙を合流させて用紙処理トレイへ排出させる用紙後処理装置における用紙搬送装置において、前記別経路へ用紙を搬送しかつ次用紙と合流させる動作を行う用紙フィーダを備え、この用紙フィーダの搬送力が可変である用紙搬送装置を特徴とする。
また、請求項２に記載の発明は、前記用紙フィーダの搬送力が搬送する用紙の種類に応じて変更可能である請求項１記載の用紙搬送装置を特徴とする。
また、請求項３に記載の発明は、前記用紙フィーダの搬送力が搬送する用紙のサイズに応じて変更可能である請求項１記載の用紙搬送装置を特徴とする。
また、請求項４に記載の発明は、前記用紙フィーダの搬送力が用紙を滞留させる動作の有無に応じて変更可能である請求項１記載の用紙搬送装置を特徴とする。
【０００５】
また、請求項５に記載の発明は、前記用紙フィーダの搬送力が、複数枚数の用紙滞留動作を行う場合には強く設定し、用紙滞留動作を行わない単用紙を搬送する場合には弱く設定する請求項４記載の用紙搬送装置を特徴とする。
また、請求項６に記載の発明は、前記用紙フィーダの搬送力が、用紙滞留動作を行う用紙枚数に応じて変更可能である請求項４記載の用紙搬送装置を特徴とする。
また、請求項７に記載の発明は、前記用紙フィーダの搬送力が、スプリングによる加圧力により設定され、前記スプリングの圧縮量によって加圧力を設定しかつ前記搬送力を規制する請求項１記載の用紙搬送装置を特徴とする。
また、請求項８に記載の発明は、前記スプリングの圧縮量が、移動可能な軸受とスプリング固定板によって設定される請求項７記載の用紙搬送装置を特徴とする。
【０００６】
また、請求項９に記載の発明は、前記スプリングが、前記用紙フィーダの位置を規制する軸の両端から加圧を負荷する請求項７記載の用紙搬送装置を特徴とする。
また、請求項１０に記載の発明は、前記スプリングの加圧が、偏芯形状を有しているカム形状の部材を回転させることによりリンク形状の部材を引き上げ、それにより加圧解除及び加圧力を変動させる構成とする請求項７記載の用紙搬送装置を特徴とする。
また、請求項１１に記載の発明は、前記用紙フィーダの搬送力が、用紙に圧接する用紙フィーダの数を変化させることによって行なわれる請求項１記載の用紙搬送装置を特徴とする。
また、請求項１２に記載の発明は、前記用紙フィーダの配置が、搬送する用紙の搬送中心に対して対称に配置し、圧接する用紙フィーダの数を変化させるための、圧接及び解除する用紙フィーダの数は搬送中心に対して対称である請求項１１記載の用紙搬送装置を特徴とする。
【０００７】
また、請求項１３に記載の発明は、請求項１乃至１２のいずれか１項記載の用紙搬送装置を備える用紙搬送ユニットを特徴とする。
また、請求項１４に記載の発明は、請求項１乃至１２のいずれか１項記載の用紙搬送装置及び請求項１３記載の用紙搬送ユニットを備える用紙後処理装置を特徴とする。
また、請求項１５に記載の発明は、画像形成後の用紙を排出する画像形成装置、請求項１乃至１２のいずれか１項記載の用紙搬送装置及び請求項１３記載の用紙搬送ユニットを含んでいる画像形成システムを特徴とする。
【発明の効果】
【０００８】
本発明によれば、用紙フィーダの搬送力はスプリングによる加圧力により設定するものであり、スプリングの圧縮量によって加圧力を設定し、搬送力を規制することが可能となる。搬送される用紙のサイズ、種類、枚数に拘わらず、搬送用紙に対して、必要とする搬送力を設定することによって安定した搬送を行うことができる。
【発明を実施するための最良の形態】
【０００９】
以下、図面を参照して、本発明の実施の形態を詳細に説明する。図１は本発明の実施の形態を搭載した用紙処理装置と画像形成装置を含む画像形成システムを示す概略図である。なお、用紙を搬送するためのフィード機構及びスティプル機構自体は、本発明の特徴ではなく、また、公知であるから、その詳細な説明は省略する。
図１において、画像形成装置２から出力された用紙Ｐは、受け入れ口１ａから用紙後処理装置１に入り、入り口センサＳ１により用紙Ｐを検知し、搬送部材である用紙フィーダ４ａ及び４ｂによって搬送される。
分岐爪Ｃ１を図示反時計方向に回動させることにより下搬送路Ｃ２に導かれる。ここでは説明しないが符号Ｂは用紙収納部を兼ねる用紙滞留経路、Ｓ２は滞留経路上流に配置されている用紙検知センサである。
【００１０】
下搬送路Ｃ２に導かれた用紙Ｐは、用紙フィーダ５を通って、ばねによる加圧力を搬送経路方向へ負荷させた切り換え爪９を用紙Ｐの移動力で図示反時計方向に回動させ、それにより確保された第１の搬送路Ａを通り、搬送部材である用紙フィーダ６、７及び８により処理トレイ１３へ搬送される。
切り換え爪９は用紙Ｐが通過した後、図示していないスプリングの張力により図示位置に復帰する。搬送された用紙Ｐは矢印Ｃ方向へ自重落下し、また、叩きコロ１４で下方に叩き落とされ、後端フェンス１１で搬送方向の後端が揃えられる。
そして、用紙Ｐの後端をセンサ（図示せず）で予め検知し、用紙搬送方向が揃えられ得る時間の後、整合フェンス１０により幅方向が揃えられる。この動作を繰り返して処理トレイ１３内に整合された用紙束（図示せず）を形成する。
整合された用紙束は、スティプラ１２でスティプル処理された後、処理トレイ１３の中央部の用紙搬送方向と平行に設けられた放出爪１５により矢印Ｄ方向へ移動する。
放出爪１５は、ローラ１６ａ及び１６ｂ間に這い回してある放出ベルト１７を介して図示していない駆動系により動作する。用紙束は後端を放出爪１５で押されながら矢印Ｅ方向に移動し、排紙ローラ１８によって排紙トレイ３上へ積載される。
【００１１】
図２は本発明の実施の形態用紙搬送装置における小サイズ用紙の搬送構成を第１の状態で示す概略図である。図３は本発明の実施の形態用紙搬送装置における小サイズ用紙の搬送構成を第２の状態で示す概略図である。
図４は本発明の実施の形態用紙搬送装置における小サイズ用紙の搬送構成を第３の状態で示す概略図である。図５は本発明の実施の形態用紙搬送装置における小サイズ用紙の搬送構成を第４の状態で示す概略図である。図６は本発明の実施の形態用紙搬送装置における小サイズ用紙の搬送構成を第５の状態で示す概略図である。
先ず、図２乃至図６を参照して、本発明の実施の形態である小サイズ用紙の搬送構成の動作について説明する。ここで、請求項中の用紙フィーダは実施の形態における用紙フィーダ６、７を意味する。
【００１２】
１枚目の用紙Ｐはその用紙後端が切り換え爪９を通過した後（図２）、用紙フィーダ６及び７が逆回転し（用紙フィーダ６及び７は同駆動源とする）、用紙滞留経路Ｂへ搬送され（図３）、用紙Ｐの先端が用紙フィーダ６を通過後又は用紙フィーダ６のニップに噛んだ時点で、用紙フィーダ６は停止し、用紙Ｐは滞留経路Ｂ内に滞留される（図４）。
ここで、用紙Ｐ先端が用紙フィーダ６を通過している場合においては、滞留経路Ｂは、鉛直方向に設置してあるため、用紙Ｐは自重により落下し、用紙フィーダ６に接触している状態で滞留している。
次に、次用紙Ｐａは用紙Ｐと同様に搬送されて切り換え爪９を通過して停止している用紙フィーダ６へと突き当たるように搬送される（図５）。用紙フィーダ６は次用紙Ｐａが突き当たるタイミングで正回転駆動し、用紙Ｐ及びＰａを合流させて搬送する（図６）。
用紙フィーダ６が正回転を開始するタイミングは、滞留経路上流に配置されている用紙検知センサＳ２が次用紙Ｐａ先端を検知してからこの次用紙Ｐａ先端が用紙フィーダ６に到達するまでの時間を搬送経路及び搬送線速より予め算出しているタイミングで設定している。
ここで、滞留用紙枚数が用紙滞留所定枚数以下である場合には、合流した用紙束は用紙Ｐと同様の滞留経路へ搬送する動作を行い、用紙束を滞留させる動作を行う。滞留用紙枚数が用紙滞留所定枚数に達した場合には、合流した用紙束はそのまま搬送し、図１記載の排紙フィーダ８により、スティプルトレイ１３へと放出される。
【００１３】
図７は本発明の実施の形態用紙搬送装置における大サイズ用紙の搬送構成を第１の状態で示す概略図である。図８は本発明の実施の形態用紙搬送装置における大サイズ用紙の搬送構成を第２の状態で示す概略図である。図９は本発明の実施の形態用紙搬送装置における大サイズ用紙の搬送構成を第３の状態で示す概略図である。
図１０は本発明の実施の形態用紙搬送装置における大サイズ用紙の搬送構成を第４の状態で示す概略図である。図１１は本発明の実施の形態用紙搬送装置における大サイズ用紙の搬送構成を第５の状態で示す概略図である。図１２は本発明の実施の形態用紙搬送装置における大サイズ用紙の搬送構成を第６の状態で示す概略図である。
【００１４】
次に、図７乃至図１２を参照して、本発明の実施の形態である大サイズ（長手サイズ）用紙の搬送構成の動作について説明する。長手サイズの用紙が搬送されてくる場合には、後処理装置１の入り口に配置されている入口検知センサＳ１が用紙先端を検知するタイミングで、用紙フィーダ６に負荷されている加圧を解除する（図７）。
ここで、本実施の形態において、用紙フィーダ加圧解除手段は、駆動側フィーダを退避させて加圧解除する機構を備えているが、加圧解除手段及び解除方向（従動側を退避させて解除する）については本実施の形態に制約されるものでは無い。
１枚目の用紙Ｐは、この用紙後端が切り換え爪９を通過した後（図８）、用紙フィーダ６が退避し、加圧解除されているため、そのまま用紙フィーダ７を通過するまで搬送される。
用紙フィーダ６及び７が逆回転し（用紙フィーダ６及び７は同駆動源とする）、用紙滞留経路Ｂへ搬送され（図９）、用紙Ｐの先端が用紙フィーダ７を通過後又は用紙フィーダ７のニップに噛んだ時点で、用紙フィーダ７は停止し、用紙Ｐは用紙滞留経路Ｂ内に滞留される（図１０）。
ここで、用紙Ｐ先端が用紙フィーダ７を通過している場合においては、用紙滞留経路Ｂは、鉛直方向に設置してあるため、用紙Ｐは自重により落下し、用紙フィーダ７に接触している状態で滞留している。
【００１５】
次に、次用紙Ｐａは用紙Ｐと同様に搬送されて切り換え爪９を通過して停止している用紙フィーダ７へと突き当たるように搬送される（図１１）。用紙フィーダ７は次用紙Ｐａが突き当たるタイミングで正回転駆動し、用紙Ｐ及び次用紙Ｐａを合流させて搬送する（図１２）。
用紙フィーダ７が正回転を開始するタイミングは、用紙滞留経路Ｂ上流に配置されている用紙検知センサＳ２が次用紙Ｐａ先端を検知してからこの次用紙Ｐａ先端が用紙フィーダ７に到達するまでの時間を搬送経路及び搬送線速より予め算出しているタイミングで設定している。以降、用紙束をスティプルトレイへと放出する条件は上記と同様のため省略する。
用紙フィーダ６及び７は同駆動源を有しているため、用紙フィーダ６の加圧を解除していない場合には次用紙Ｐａに関して、この次用紙Ｐａが用紙フィーダ６に進入する場合に用紙フィーダ６が搬送負荷となり、次用紙Ｐａが搬送されなくなる恐れがある。
また、次用紙Ｐａが用紙フィーダ６に進入するタイミングで用紙フィーダ６を回転すると、先に搬送されて用紙滞留経路Ｂに滞留している用紙Ｐも同時に用紙フィーダ７により搬送されてしまい、用紙合流時の用紙Ｐ及び次用紙Ｐａのズレは非常に大きくなり、滞留手段をなさなくなる。以上の理由により、長手サイズ用紙時には用紙フィーダ６の加圧解除が有用となる。
【００１６】
搬送されてきた用紙はスティプルトレイ１３（図１）に用紙束がスタックされていない場合には、１枚毎にスティプルトレイへの搬送を行う。スティプルトレイ１３で処理が施されている場合には、上記したように次用紙は用紙滞留経路Ｂ（図１）へとスタックされ、プレスタック動作により用紙処理時間を延長した後にスティプルトレイ１３へと用紙束が搬送される。
ここで、プレスタック動作を行う用紙フィーダ６及び７は以下に説明する可変の用紙搬送力を負荷させる機構を具備しており、プレスタック搬送用紙束枚数、用紙紙厚により搬送圧を変化させることにより、狙いの搬送力での用紙束搬送を可能にするものである（図７で後述）。
【００１７】
図１３は用紙フィーダの構成を示す概略正面図である。図１４は図１３の用紙フィーダの構成を示す概略裏面図である。ここで、用紙フィーダ６の加圧、圧力解除構成の実施の形態に関して、図１３及び図１４を用いて説明する。
上記しているように、長手サイズ用紙が搬送されてきた場合には、図７乃至図１２に示すように、用紙フィーダ６は加圧を解除して搬送経路Ａより退避させ、用紙フィーダ７により用紙滞留経路Ｂへの搬送を行う。
用紙フィーダ６は装置前後に配置されたフレーム板（図示せず）により位置が規制され、前後フレーム付近に配置されたスプリング３３によって従動フィーダに加圧され搬送力を発生させる。
上述したように、長手サイズ紙のプレスタックを行う際には、用紙フィーダ６は搬送経路Ａより退避し、用紙フィーダ７によって用紙滞留経路Ｂへのスイッチバック搬送を行う。
【００１８】
用紙フィーダ６の退避方法について図１３及び図１４を用いて説明する。用紙フィーダ６を支持する軸は、装置前後に配置されたリンク状部材３１に連結しており、このリンク状部材３１は楕円形状の切り欠きが設けられている。
この切り欠き内部に偏芯形状を有する円筒状部材３２が配置されており、この円筒状部材３２が回転することによりリンク状部材３１を引っ張り込む動作を行い、用紙フィーダ６を搬送経路より退避させる構成となっている。ここで、搬送力はスプリング３３によって加圧力を負荷させる。
【００１９】
図１５は本発明による用紙フィーダ加圧解除手段の第１の実施の形態を示す概略図である。図１６は図１５の用紙フィーダ加圧解除手段の第１の実施の形態を退避時の状態で示す概略図である。
図１５及び図１６を参照して、搬送力を変化させる構成として用紙フィーダ６の構成要素である搬送コロは、固定された駆動搬送コロ６ａと用紙に対して圧接及び退避できる搬送コロ６ｂの構成をとる。
図７乃至図１２に関連して説明した長手サイズの場合には用紙フィーダ６ａは退避する。図１５及び図１６には、退避できる搬送コロ６ｂを支持する支持リンク４０、この支持リンク４０に連結される退避リンク４１、この退避リンク４１に作用する偏心プーリ４２が示されている。
また、用紙フィーダ６は相手側の従動フィーダ（退避できる搬送コロ６ｂ）と圧接させる構成により搬送力を生じさせる構成をとっており、リンク形状部材３１の引き量（回転量）によってその加圧力を変化させることにより、搬送力を変動する構成となっている。
【００２０】
図１３乃至図１６請求項１記載の搬送力はスプリングによる加圧力により設定するものであり、スプリング３３の圧縮量によって加圧力を設定し、搬送力を規制する。スプリング３３は、移動可能な軸受と移動可能なスプリング固定板により圧縮量を設定する。
スプリング３３は、用紙フィーダ６の位置を規制する軸の両端から加圧を負荷することにより用紙フィーダ６に掛かる加圧力を一定にする。加圧構成は偏芯形状を有しているカム形状の部材（偏心円筒状部材）３２を回転させることによりリンク形状の部材（リンク状部材）３１を引き上げることにより加圧解除及び加圧力を変化させる構成とする。
【００２１】
図１７は本発明による用紙フィーダ加圧解除手段の第２の実施の形態を示す概略図である。図１８は図１７の用紙フィーダ加圧解除手段の第１の実施の形態を退避時の状態で示す概略図である。
次に、図１７及び図１８を参照して、本発明による用紙フィーダ加圧解除手段の第２の実施の形態について説明する。搬送力を変化させる構成として用紙フィーダ６の構成要素である搬送コロは、固定された搬送コロ６ａと一部は用紙に対して圧接及び退避できる搬送コロ６ｂの構成をとる。強い用紙搬送力を必要とする場合には、退避可能な搬送コロ６ｂを圧接する構成とする。
退避構成についての基本機構は上記した用紙フィーダの加圧解除構成と同様である。搬送コロ６ｂは支持リンク４０によって支持されている。支持リンク４０を固定する軸を退避リンク４１で引き込むことにより、搬送コロ６ｂを退避させる。退避リンク４１は第１の実施の形態と同様に偏芯形状を持つ円筒状部材４２を回転させることにより退避リンク４１を引っ張り込む動作を行う機構を有する。
搬送用紙に対して、安定した搬送力を発生させるために、搬送コロ６ａは搬送用紙中心に対して対称に配置しており、退避する搬送コロ６ｂに関しても、搬送用紙中心に対して対称に配置して、退避する場合も、対称に配置した搬送コロ６ｂは同時に退避する構成とする。
【００２２】
用紙フィーダ６及び７は上記したように用紙を用紙滞留経路Ｂへと搬送するため、正逆転可能な機構となっている。また、搬送されてくる用紙を滞留させ、次用紙と合流させて搬送を行うため、用紙束の搬送を行う必要がある。
そこで、より安定した搬送を行うために小サイズ用紙の場合には用紙フィーダ６、長手サイズ用紙の場合には用紙フィーダ７の搬送力を変化させることを特徴としている。また、図１５乃至図１８に示す搬送力の変更は、用紙サイズ、用紙種類（紙厚等）、滞留動作の有無、滞留枚数によって変化させるものとする。
【００２３】
図１９は本発明の実施の形態の用紙搬送力変更の用紙搬送処理動作を示すフローチャートである。図１９において、先ず、操作者がスティプル処理（複数部）を設定する（Ｓ１）。用紙が搬送路Ｃ２に進入する。次に、用紙処理１部目かどうかを判断する（Ｓ２）。
用紙処理１部目ならば、センサＳ２が用紙を検知し（Ｓ３）、次いで、用紙フィーダ６に用紙搬送力（１枚）を設定する（Ｓ４）。ここで、用紙は搬送路Ａに進入する。次に、用紙フィーダ７を稼動し（Ｓ５）、用紙フィーダ８を稼動し（Ｓ６）、スティプルトレイ１３へ搬入する（Ｓ７）。
また、搬送路Ｃ２に進入する用紙が用紙処理複数部目かどうかを判断し（Ｓ８）、その後、センサＳ２が用紙を検知し（Ｓ９）、用紙種類（Ｓ１０）、用紙サイズ（Ｓ１１）、滞留動作及び枚数（Ｓ１２）を判断する。
例えば、用紙種類が紙厚で、滞留動作及び滞留枚数がある場合、用紙フィーダ６に用紙搬送力（Ｘ枚以上）を設定する（Ｓ１３）。ここで、用紙が搬送路Ａに進入する。次いで、用紙フィーダ６を正転稼動する（Ｓ１４）。次に、用紙フィーダ６を逆転稼動する（Ｓ１５）。この場合に、用紙は用紙滞留経路Ｂに進入する。
【００２４】
次いで、用紙滞留枚数完了かどうかを判断し（Ｓ１６）、完了ならば、用紙フィーダ６を正転稼動し（Ｓ１７）、用紙フィーダ７を稼動し（Ｓ１８）、用紙フィーダ８を稼動し（Ｓ１９）、スティプルトレイ１３へ搬入する（Ｓ２０）。
また、例えば、用紙サイズが小で、滞留動作及び滞留枚数がある場合、用紙フィーダ６に用紙搬送力（Ｘ枚以上）を設定する（Ｓ２１）。ここで、用紙が搬送路Ａに進入する。次いで、用紙フィーダ６を正転稼動する（Ｓ２２）。次に、用紙フィーダ６を逆転稼動する（Ｓ２３）。この場合に、用紙は用紙滞留経路Ｂに進入する。
次いで、用紙滞留枚数完了かどうかを判断し（Ｓ２４）、完了ならば、用紙フィーダ６を正転稼動し（Ｓ２５）、用紙フィーダ７を稼動し（Ｓ２６）、用紙フィーダ８を稼動し（Ｓ２７）、スティプルトレイ１３へ搬入し（Ｓ２８）、スティプルが施される。
【００２５】
以上、本発明によれば、端面綴じ用紙束、中綴じ用紙束の搬送機構を有した用紙処理装置において、高信頼性かつ、簡素な構成で高生産性を実現することができ、信頼性の高い用紙処理装置、画像形成システムをより安価に提供することができる。
なお、本実施の形態は好適な実施例ではあるが、当業者ならば、本明細書に開示の内容から、各種の代替例、修正例、変形例あるいは改良例を実現することができ、これらは添付の特許請求の範囲に規定されかつ含まれるものである。
【図面の簡単な説明】
【００２６】
【図１】本発明の実施の形態を搭載した用紙処理装置と画像形成装置を含む画像形成システムを示す概略図である。
【図２】本発明の実施の形態用紙搬送装置における小サイズ用紙の搬送構成を第１の状態で示す概略図である。
【図３】本発明の実施の形態用紙搬送装置における小サイズ用紙の搬送構成を第２の状態で示す概略図である。
【図４】本発明の実施の形態用紙搬送装置における小サイズ用紙の搬送構成を第３の状態で示す概略図である。
【図５】本発明の実施の形態用紙搬送装置における小サイズ用紙の搬送構成を第４の状態で示す概略図である。
【図６】本発明の実施の形態用紙搬送装置における小サイズ用紙の搬送構成を第５の状態で示す概略図である。
【図７】本発明の実施の形態用紙搬送装置における大サイズ用紙の搬送構成を第１の状態で示す概略図である。
【図８】本発明の実施の形態用紙搬送装置における大サイズ用紙の搬送構成を第２の状態で示す概略図である。
【図９】本発明の実施の形態用紙搬送装置における大サイズ用紙の搬送構成を第３の状態で示す概略図である。
【図１０】本発明の実施の形態用紙搬送装置における大サイズ用紙の搬送構成を第４の状態で示す概略図である。
【図１１】本発明の実施の形態用紙搬送装置における大サイズ用紙の搬送構成を第５の状態で示す概略図である。
【図１２】本発明の実施の形態用紙搬送装置における大サイズ用紙の搬送構成を第６の状態で示す概略図である。
【図１３】用紙フィーダの構成を示す概略正面図である。
【図１４】図１３の用紙フィーダの構成を示す概略裏面図である。
【図１５】本発明による用紙フィーダ加圧解除手段の第１の実施の形態を示す概略図である。
【図１６】図１５の用紙フィーダ加圧解除手段の第１の実施の形態を退避時の状態で示す概略図である。
【図１７】本発明による用紙フィーダ加圧解除手段の第２の実施の形態を示す概略図である。
【図１８】図１７の用紙フィーダ加圧解除手段の第２の実施の形態を退避時の状態で示す概略図である。
【図１９】本発明の実施の形態の用紙搬送力変更の用紙搬送処理動作を示すフローチャートである。
【符号の説明】
【００２７】
１  用紙後処理装置、２  画像形成装置、６  用紙フィーダ、６ａ  固定コロ、６ｂ  退避可能なコロ、７  用紙フィーダ、８  用紙フィーダ、１３  用紙処理トレイ（スティプルトレイ）、３１  リンク状部材、３２  偏心円筒状部材、３３  スプリング、Ａ  搬送路（主経路）、Ｂ  別経路（用紙収納部、用紙滞留経路）、Ｃ２  搬送路（主経路、下搬送路）、Ｐ  用紙、Ｐａ  次用紙
【図１】
2008120530.tif 000003
【図２】
2008120530.tif 000004
【図３】
2008120530.tif 000005
【図４】
2008120530.tif 000006
【図５】
2008120530.tif 000007
【図６】
2008120530.tif 000008
【図７】
2008120530.tif 000009
【図８】
2008120530.tif 000010
【図９】
2008120530.tif 000011
【図１０】
2008120530.tif 000012
【図１１】
2008120530.tif 000013
【図１２】
2008120530.tif 000014
【図１３】
2008120530.tif 000015
【図１４】
2008120530.tif 000016
【図１５】
2008120530.tif 000017
【図１６】
2008120530.tif 000018
【図１７】
2008120530.tif 000019
【図１８】
2008120530.tif 000020
【図１９】
2008120530.tif 000021